(57)【要約】【課題】エアフィルタへの防虫機能の付加に要するコストを低減するとともに、防虫機能を有するエアフィルタユニットのメンテナンスに要するコストを低減する。【解決手段】本発明のある局面に従う防虫袋は、空調機用のエアフィルタを収容するように構成されている。エアフィルタは、フィルタ本体と、フレームとを含む。フレームは、フィルタ本体の側面を覆うことによって、フィルタ本体を保持するように構成されている。防虫袋は、メッシュ状の布で構成されている。【選択図】図１
2020171250.tif 000002
【特許請求の範囲】
【請求項１】
空調機用のエアフィルタを収容するように構成された防虫袋であって、
前記エアフィルタは、
フィルタ本体と、
前記フィルタ本体の側面を覆うことによって、前記フィルタ本体を保持するように構成されたフレームとを含み、
前記防虫袋は、メッシュ状の布で構成されている、防虫袋。
【請求項２】
前記防虫袋のうち前記エアフィルタの上流側に位置する上流部分のメッシュの目開きは、前記防虫袋のうち前記エアフィルタの下流側に位置する下流部分のメッシュの目開きよりも大きい、請求項１に記載の防虫袋。
【請求項３】
複数の前記エアフィルタを収容するように構成された、請求項１又は請求項２に記載の防虫袋。
【請求項４】
前記エアフィルタは、複数の緩衝材をさらに含み、
前記複数の緩衝材の各々は、前記フレームの前記下流側の面上において、相互に間隔を空けて配置されている、請求項１から請求項３のいずれか１項に記載の防虫袋。
【請求項５】
空調用のエアフィルタと、
前記エアフィルタを収容するように構成された防虫袋とを備え、
前記エアフィルタは、
フィルタ本体と、
前記フィルタ本体の側面を覆うことによって、前記フィルタ本体を保持するように構成されたフレームとを含み、
前記防虫袋は、メッシュ状の布で構成されている、エアフィルタユニット。
【発明の詳細な説明】
【技術分野】
【０００１】
本発明は、防虫袋及びエアフィルタユニットに関する。
【背景技術】
【０００２】
特開２０１４−３９９２２号公報（特許文献１）は、フィルタと、該フィルタを収容するフィルタフレームとを備えるフィルタユニットを開示する。このフィルタユニットに含まれるフィルタフレームにおいては、流体の流入面側及び流出面側に開口が形成されている。また、このフィルタフレームは、該開口を覆う織物及び／又は編物を含んでいる。このフィルタユニットによれば、フィルタとフィルタフレームとの間の隙間が織物及び／又は編物によって覆われるため、該隙間から虫が侵入する可能性を低減することができる（特許文献１参照）。
【先行技術文献】
【特許文献】
【０００３】
【特許文献１】特開２０１４−３９９２２号公報
【発明の概要】
【発明が解決しようとする課題】
【０００４】
上記特許文献１に開示されているフィルタユニットにおいては、防虫機能を有する特殊なフィルタフレームを用意することによって、エアフィルタに防虫機能が付加されている。また、該フィルタユニットの取付けを可能とするために、専用の取付け設備が設けられている。すなわち、エアフィルタに防虫機能を付加するために、高いコストが費やされている。また、上記特許文献１に開示されているフィルタユニットにおいて、フィルタフレームに取り付けられている織物及び／又は編物が劣化した場合には、該織物及び／又は編物の交換に大変な手間を要する。すなわち、フィルタユニットのメンテナンスには、高いコストが費やされる。
【０００５】
本発明は、このような問題を解決するためになされたものであって、その目的は、エアフィルタへの防虫機能の付加に要するコストを低減するとともに、防虫機能を有するエアフィルタユニットのメンテナンスに要するコストを低減することである。
【課題を解決するための手段】
【０００６】
本発明のある局面に従う防虫袋は、空調機用のエアフィルタを収容するように構成されている。エアフィルタは、フィルタ本体と、フレームとを含む。フレームは、フィルタ本体の側面を覆うことによって、フィルタ本体を保持するように構成されている。防虫袋は、メッシュ状の布で構成されている。
【０００７】
フィルタ本体及びフレームを備えるエアフィルタにおいては、フィルタ本体とフレームとの間に形成された隙間から虫が侵入する可能性がある。本発明に従う防虫袋は、エアフィルタを収容するように構成されている。したがって、この防虫袋によれば、フィルタ本体とフレームとの間に形成された隙間が防虫袋によって覆われるため、該隙間から虫が侵入する可能性を低減することができる。また、この防虫袋によれば、エアフィルタを防虫袋に収容するだけでエアフィルタに防虫機能が付加されるため、エアフィルタへの防虫機能の付加を低コストで（容易に）行なうことができる。また、この防虫袋によれば、防虫袋を交換するだけで防虫機能に関するメンテナンスが完了するため、防虫機能を有するエアフィルタユニットのメンテナンスを低コストで（容易に）行なうことができる。
【０００８】
防虫袋のうちエアフィルタの上流側に位置する上流部分のメッシュの目開きは、防虫袋のうちエアフィルタの下流側に位置する下流部分のメッシュの目開きよりも大きくてもよい。
【０００９】
メッシュの目開きが小さい程、メッシュの開口部にホコリ等の異物が詰まりやすい。一方、メッシュの目開きが大きい程、メッシュの開口部を虫が通過しやすい。本発明に従う防虫袋によれば、上流側のメッシュの目開きが大きいため上流側における目詰まりを抑制することができ、下流側のメッシュの目開きが小さいため虫が下流側を通過することを抑制することができる。
【００１０】
また、上記防虫袋は、複数のエアフィルタを収容するように構成されてもよい。
【００１１】
複数のエアフィルタを並べて配置する場合に、隣接する２つのエアフィルタの間の隙間から虫が侵入する可能性がある。本発明に従う防虫袋は、複数のエアフィルタを収容するように構成されている。したがって、本発明に従う防虫袋によれば、隣接する２つのエアフィルタの間に形成された隙間が防虫袋によって覆われるため、該隙間から虫が侵入する可能性を低減することができる。
【００１２】
また、上記防虫袋において、エアフィルタは、複数の緩衝材をさらに含み、複数の緩衝材の各々は、フレームの上記下流側の面上において、相互に間隔を空けて配置されていてもよい。
【００１３】
このエアフィルタが空調機内に取り付けられた場合に、２つの緩衝材の間の隙間から虫が侵入する可能性がある。本発明に従う防虫袋は、エアフィルタを収容するように構成されている。したがって、本発明に従う防虫袋によれば、２つの緩衝材の間に形成された隙間が防虫袋によって覆われるため、該隙間から虫が侵入する可能性を低減することができる。
【００１４】
本発明の他の局面に従うエアフィルタユニットは、空調用のエアフィルタと、防虫袋とを備える。防虫袋は、エアフィルタを収容するように構成されている。エアフィルタは、フィルタ本体と、フレームとを含む。フレームは、フィルタ本体の側面を覆うことによって、フィルタ本体を保持するように構成されている。防虫袋は、メッシュ状の布で構成されている。
【００１５】
フィルタ本体及びフレームを備えるエアフィルタにおいては、フィルタ本体とフレームとの間に形成された隙間から虫が侵入する可能性がある。本発明に従うエアフィルタユニットにおいては、防虫袋がエアフィルタを収容するように構成されている。したがって、本発明に従うエアフィルタユニットによれば、フィルタ本体とフレームとの間に形成された隙間が防虫袋によって覆われるため、該隙間から虫が侵入する可能性を低減することができる。また、このエアフィルタユニットによれば、エアフィルタを防虫袋に収容するだけでエアフィルタに防虫機能が付加されるため、エアフィルタへの防虫機能の付加を低コストで（容易に）行なうことができる。また、このエアフィルタユニットによれば、防虫袋を交換するだけで防虫機能に関するメンテナンスが完了するため、防虫機能を有するエアフィルタユニットのメンテナンスを低コストで（容易に）行なうことができる。
【発明の効果】
【００１６】
本発明によれば、エアフィルタへの防虫機能の付加に要するコストを低減するとともに、防虫機能を有するエアフィルタユニットのメンテナンスに要するコストを低減することができる。
【図面の簡単な説明】
【００１７】
【図１】実施の形態１従うエアフィルタユニットを示す模式図である。
【図２】実施の形態１におけるエアフィルタの背面を示す模式図である。
【図３】図２のＩＩＩ−ＩＩＩ断面の概略を示す模式図である。
【図４】エアフィルタの側面を示す模式図である。
【図５】図２の左上方の一部の拡大図である。
【図６】防虫袋を用いることによる効果を説明するための図である。
【図７】実施の形態２に従うエアフィルタユニットを示す模式図である。
【図８】実施の形態２における、防虫袋に収容されている２つのエアフィルタの背面を示す模式図である。
【図９】図８のＩＸ−ＩＸ断面のうち２つのエアフィルタの係合部分の概略を示す模式図である。
【図１０】図８の一部の領域の概略を示す模式図である。
【発明を実施するための形態】
【００１８】
以下、本発明の実施の形態について、図面を参照しながら詳細に説明する。なお、図中同一又は相当部分には同一符号を付してその説明は繰り返さない。
【００１９】
［１．実施の形態１］
［１−１．エアフィルタユニットの構成］
図１は、本実施の形態１に従うエアフィルタユニット１０を示す模式図である。エアフィルタユニット１０は、空気からゴミ、塵埃等を除去するために空調機内で使用される。
【００２０】
図１に示されるように、エアフィルタユニット１０は、防虫袋１００と、エアフィルタ２００とを含んでいる。エアフィルタユニット１０の使用時に、エアフィルタ２００は、防虫袋１００内に収容される。すなわち、エアフィルタ２００が防虫袋１００内に収容された状態で、エアフィルタユニット１０は空調内に設置される。エアフィルタユニット１０においては、エアフィルタ２００が防虫袋１００内に収容されることによって、虫（たとえば、チャタテムシ）がエアフィルタ２００を通過して空調機内に浸入する可能性が低減されている。
【００２１】
以下、防虫袋１００及びエアフィルタ２００の各々の構成について説明し、その後、防虫袋１００を用いることによる効果について説明する。
【００２２】
［１−２．防虫袋の構成］
防虫袋１００は、メッシュ状の布を縫製することによって生産されている。なお、図１においてはメッシュが防虫袋１００の一部においてしか表現されていないが、メッシュは防虫袋１００の全体に形成されている。メッシュ状の布は、たとえば、不織布、編物及び織物で構成される。メッシュの目開きは、たとえば、２９２μｍ以下である。メッシュの目開きの大きさとしては、エアフィルタ２００の通過阻止の対象となる虫（たとえば、チャタテムシ）が防虫袋１００を通過できない大きさが選択される。たとえば、メッシュの目開きが２９２μｍ以下であれば、防虫袋１００はチャタテムシの侵入を阻止することができる。
【００２３】
［１−３．エアフィルタの構成］
図２は、エアフィルタ２００の背面を示す模式図である。図３は、図２のＩＩＩ−ＩＩＩ断面の概略を示す模式図である。図４は、エアフィルタ２００の側面を示す模式図である。図５は、図２の左上方の一部の拡大図である。なお、図２及び図４において、矢印ＵＤＦＢＲＬの各々が示す方向は共通である。
【００２４】
図２に示されるように、エアフィルタ２００は、フィルタ本体２２０と、フレーム２１０と、複数のガスケット２３０とを含んでいる。フィルタ本体２２０は、たとえば、中性能フィルタである。中性能フィルタは、たとえば、１μｍ以上の粒子をターゲットとしている。フィルタ本体２２０は、ろ材を蛇腹状に折り畳むことによって構成されている。なお、図２においてはフィルタ本体２２０の蛇腹が一部においてしか表現されていないが、フィルタ本体２２０においては全体的に蛇腹が形成されている。
【００２５】
図３に示されるように、フレーム２１０は、フィルタ本体２２０の側面を覆うことによって、フィルタ本体２２０を保持するように構成されている。フレーム２１０は、四辺に渡って、フィルタ本体２２０の側面と対向する面２１１と、フィルタ本体２２０の正面と対向する面２１５と、フィルタ本体２２０の背面と対向する面２１３とを含んでいる。面２１１，２１３，２１５によって、溝２１６が形成されている。フィルタ本体２２０の各端部が溝２１６に嵌まることによって、フィルタ本体２２０はフレーム２１０に保持されている。なお、フレーム２１０とフィルタ本体２２０との間には微小な隙間が生じる。
【００２６】
フレーム２１０の正面には開口部Ｏ２が形成されており、フレーム２１０の背面には開口部Ｏ１が形成されている。開口部Ｏ２から開口部Ｏ１に向かって空気が流れることによって、空調が行なわれる。
【００２７】
図４に示されるように、フレーム２１０は、第１フレーム部材２１２と、第２フレーム部材２１４とを含んでいる。第１フレーム部材２１２と第２フレーム部材２１４とは、取外し可能に構成されている。第１フレーム部材２１２から第２フレーム部材２１４を取り外すことによって、フレーム２１０からフィルタ本体２２０を取り出すことができる。すなわち、エアフィルタ２００においては、フィルタ本体２２０の取替えが可能である。第１フレーム部材２１２及び第２フレーム部材２１４の各々は、たとえば、金属及び樹脂によって構成されている。
【００２８】
図２、図４及び図５を参照して、フレーム２１０において、矢印Ｂ方向の面（背面）の外周には、外周を覆うように、複数（４つ）のガスケット２３０が相互に間隔を空けて取り付けられている。各ガスケット２３０は、エアフィルタ２００が空調機内の壁面に押し当てられた場合に、緩衝材として機能する。第１フレーム部材２１２と第２フレーム部材２１４とが取外し可能であるため、フレーム２１０の背面の外周全体に連続した１つのガスケットを設けることはできない。したがって、図５に示されるように、各ガスケット２３０の間には微小な隙間が形成される（領域Ｔ１参照）。
【００２９】
［１−４．防虫袋を用いることによる効果］
防虫袋１００を用いない場合、たとえば、上述したフレーム２１０とフィルタ本体２２０との間の微小な隙間（図３参照）、及び、上述した各ガスケット２３０の間の微小な隙間（図５参照）から空調機の内側に虫が侵入する可能性がある。
【００３０】
図６は、防虫袋１００を用いることによる効果を説明するための図である。図６に示されるように、エアフィルタユニット１０において、防虫袋１００は、エアフィルタ２００を内部に収容する。防虫袋１００の開放端部は、たとえば、折り畳まれて壁面に押さえつけられることによって閉じられている。
【００３１】
エアフィルタ２００が防虫袋１００に収容されることによって、フレーム２１０とフィルタ本体２２０との間の微小な隙間、及び、各ガスケット２３０の間の微小な隙間は防虫袋１００によって閉じられている。エアフィルタ２００の通過阻止の対象となる虫は防虫袋１００を通過できないため、該虫は上記各隙間を通過できない。すなわち、エアフィルタ２００を防虫袋１００に収容することによって、上記各隙間を通じて虫がエアフィルタ２００を通過する可能性を低減することができる。
【００３２】
また、この防虫袋１００によれば、エアフィルタ２００を防虫袋１００に収容するだけでエアフィルタ２００に防虫機能が付加されるため、エアフィルタ２００への防虫機能の付加を低コストで（容易に）行なうことができる。また、この防虫袋１００によれば、防虫袋１００を交換するだけで防虫機能に関するメンテナンスが完了するため、防虫機能を有するエアフィルタユニット１０のメンテナンスを低コストで（容易に）行なうことができる。また、エアフィルタ２００を防虫袋１００に収容したとしても、エアフィルタ２００の厚みがほとんど変化しないため、エアフィルタユニット１０は、従来エアフィルタが用いられていた設備にそのまま用いることができる。
【００３３】
［１−５．特徴］
以上のように、本実施の形態１に従う防虫袋１００は、エアフィルタ２００を収容するように構成されている。したがって、防虫袋１００によれば、フィルタ本体２２０とフレーム２１０との間に形成された隙間が防虫袋１００によって覆われるため、該隙間から虫が侵入する可能性を低減することができる。また、この防虫袋１００によれば、エアフィルタ２００を防虫袋１００に収容するだけでエアフィルタ２００に防虫機能が付加されるため、エアフィルタ２００への防虫機能の付加を低コストで（容易に）行なうことができる。また、この防虫袋１００によれば、防虫袋１００を交換するだけで防虫機能に関するメンテナンスが完了するため、防虫機能を有するエアフィルタユニット１０のメンテナンスを低コストで（容易に）行なうことができる。
【００３４】
［２．実施の形態２］
上記実施の形態１に従うエアフィルタユニット１０においては、防虫袋１００にエアフィルタ２００が１つだけ収容されていた。しかしながら、本実施の形態２に従うエアフィルタユニット１０Ａにおいては、防虫袋１００Ａに複数のエアフィルタ２００Ａが収容されている。以下、実施の形態１と異なる部分を中心に説明し、実施の形態１と共通する部分については説明を繰り返さない。
【００３５】
［２−１．エアフィルタユニットの構成］
図７は、本実施の形態２に従うエアフィルタユニット１０Ａを示す模式図である。図７に示されるように、エアフィルタユニット１０Ａは、防虫袋１００Ａと、複数（２つ）のエアフィルタ２００Ａとを含んでいる。防虫袋１００Ａは、実施の形態１における防虫袋１００よりも横長であり、２つのエアフィルタ２００Ａを収容するように構成されている。防虫袋１００Ａの材質やメッシュの目開き等は、実施の形態１における防虫袋１００と同様である。なお、図７においてはメッシュが防虫袋１００Ａの一部においてしか表現されていないが、メッシュは防虫袋１００Ａの全体に形成されている。
【００３６】
本実施の形態２に従うエアフィルタユニット１０Ａにおいても、上記実施の形態１に従うエアフィルタユニット１０と同様、フィルタ本体２２０とフレーム２１０Ａ（後述）との間の隙間、及び、各ガスケット２３０の間の隙間を通じた虫の侵入が阻止されている。本効果は、上記実施の形態１と同様であるため、説明を繰り返さない。
【００３７】
以下、エアフィルタ２００Ａの構成、及び、防虫袋１００Ａを用いることによる特有の効果について順に説明する。
【００３８】
［２−２．エアフィルタの構成］
図８は、防虫袋１００Ａに収容されている２つのエアフィルタ２００Ａの背面を示す模式図である。図９は、図８のＩＸ−ＩＸ断面のうち２つのエアフィルタ２００Ａの係合部分の概略を示す模式図である。図１０は、図８の領域Ｔ２の概略を示す模式図である。なお、図８においてはフィルタ本体２２０の蛇腹が一部においてしか表現されていないが、フィルタ本体２２０においては全体的に蛇腹が形成されている。
【００３９】
図８に示されるように、各エアフィルタ２００Ａは、フレーム２１０Ａと、フィルタ本体２２０とを含んでいる。図８及び図９を参照して、フレーム２１０Ａの矢印ＲＬ方向の両端部の各々には、係合部２４０，２４２が設けられている。隣接する各エアフィルタ２００Ａの係合部２４０と係合部２４２とが係合することによって、２つのエアフィルタ２００Ａが接続される。
【００４０】
図１０に示されるように、係合部２４０，２４２の各々は、フレーム２１０Ａの上端まで設けられていない。したがって、各フレーム２１０Ａの間には、隙間Ｓ１が形成されている。不図示ではあるが、フレーム２１０Ａの下端においても、各フレーム２１０Ａの間には隙間が形成されている。
【００４１】
［２−３．防虫袋を用いることによる効果］
防虫袋１００Ａを用いない場合、上記隙間Ｓ１（図１０）から空調機の内側に虫が侵入する可能性がある。エアフィルタユニット１０Ａにおいて、防虫袋１００Ａは、複数のエアフィルタ２００Ａを内部に収容する。
【００４２】
エアフィルタ２００Ａが防虫袋１００Ａに収容されることによって、隣接するフレーム２１０Ａ間の微小な隙間（たとえば、隙間Ｓ１）は防虫袋１００Ａによって閉じられる。エアフィルタ２００Ａの通過阻止の対象となる虫は防虫袋１００Ａを通過できないため、該虫は上記隙間を通過できない。すなわち、エアフィルタ２００Ａを防虫袋１００Ａに収容することによって、上記隙間を通じて虫がエアフィルタ２００Ａを通過する可能性を低減することができる。
【００４３】
［２−４．特徴］
以上のように、本実施の形態２に従う防虫袋１００Ａは、複数のエアフィルタ２００Ａを収容するように構成されている。防虫袋１００Ａによれば、隣接する２つのエアフィルタ２００Ａの間に形成された隙間が防虫袋１００Ａによって覆われるため、該隙間から虫が侵入する可能性を低減することができる。
【００４４】
［３．変形例］
以上、実施の形態１，２について説明したが、本発明は、上記実施の形態１，２に限定されるものではなく、その趣旨を逸脱しない限りにおいて、種々の変更が可能である。以下、変形例について説明する。但し、以下の変形例は適宜組合せ可能である。
【００４５】
（３−１）
上記実施の形態１，２においては、防虫袋１００，１００Ａのメッシュの目開きは、防虫袋全体に渡って均一であった。しかしながら、防虫袋１００，１００Ａにおけるメッシュの目開きは、必ずしも防虫袋全体に渡って均一である必要はない。たとえば、防虫袋１００，１００Ａのうちエアフィルタ２００，２００Ａの上流側に位置する上流部分のメッシュの目開きは、防虫袋１００，１００Ａのうちエアフィルタ２００，２００Ａの下流側に位置する下流部分のメッシュの目開きよりも大きくてもよい。メッシュの目開きが小さい程、メッシュの開口部にホコリ等の異物が詰まりやすい。一方、メッシュの目開きが大きい程、メッシュの開口部を虫が通過しやすい。防虫袋１００，１００Ａにおいて上流部分の目開きが下流部分の目開きよりも大きければ、上流側における目詰まりの抑制、及び、虫が下流側を通過することの抑制を両立することができる。
【００４６】
（３−２）
上記実施の形態１，２において、フィルタ本体２２０は、中性能フィルタであるとした。しかしながら、フィルタ本体２２０は、必ずしも中性能フィルタである必要はない。フィルタ本体２２０は、たとえば、ＨＥＰＡ（High Efficiency Particulate Air Filter）やＵＬＰＡ（Ultra Low Penetration Air Filter）であってもよい。
【００４７】
（３−３）
上記実施の形態１，２において、各エアフィルタ２００，２００Ａの背面上に設けられるガスケット２３０の数は４つとした。しかしながら、各エアフィルタ２００，２００Ａの背面上に設けられるガスケット２３０の数は、必ずしも４つでなくてもよい。たとえば、エアフィルタ２００，２００Ａの背面の外周上に、より短いガスケットが５つ以上設けられていてもよい。また、各エアフィルタ２００，２００Ａの背面上に、ガスケット２３０が設けられなくてもよい。
【００４８】
（３−４）
上記実施の形態２においては、防虫袋１００Ａに２つのエアフィルタ２００Ａが収容された。しかしながら、防虫袋１００Ａに収容されるエアフィルタ２００Ａの数は、必ずしも２つでなくてもよい。たとえば、防虫袋１００Ａに３つ以上のエアフィルタ２００Ａが収容されてもよい。
【符号の説明】
【００４９】
１０，１０Ａ  エアフィルタユニット、１００，１００Ａ  防虫袋、２００，２００Ａ  エアフィルタ、２１０，２１０Ａ  フレーム、２１１，２１３，２１５  面、２１２  第１フレーム部材、２１４  第２フレーム部材、２１６  溝、２２０  フィルタ本体、２３０，２３０Ｘ，２３０Ｙ  ガスケット（緩衝材）、２４０，２４２  係合部、Ｏ１，Ｏ２  開口部、Ｓ１  隙間、Ｔ１，Ｔ２  領域。
【図１】
2020171250.tif 000003
【図２】
2020171250.tif 000004
【図３】
2020171250.tif 000005
【図４】
2020171250.tif 000006
【図５】
2020171250.tif 000007
【図６】
2020171250.tif 000008
【図７】
2020171250.tif 000009
【図８】
2020171250.tif 000010
【図９】
2020171250.tif 000011
【図１０】
2020171250.tif 000012